(57)【特許請求の範囲】
【請求項１】
露出用開口を有するシャッタ地板と、前記シャッタ地板上に配置されている駆動モータと、前記駆動モータの駆動ピンにより前記露出用開口を開閉動作するシャッタ羽根とを備えたカメラ用シャッタにおいて、
前記駆動モータは、永久磁石からなり前記駆動ピンを有する回転子と、二つの軸受部で前記回転子の回転軸の両端を軸受けする固定子と、前記固定子の外側で前記軸受部に隣接するように輪状に巻回されるコイルと、前記回転軸と平行となる方向の両端を開口端とした環状をしていて前記コイルの外側で前記回転子の周囲を囲むように配置されており前記駆動ピンの往復回動する範囲にわたり該開口端のいずれか一方に他のシャッタ構成部材の一部位が進入し得るように切除された切除部を有しているヨークと、を備えていることを特徴としたカメラ用シャッタ装置の駆動モータ。
【発明の詳細な説明】
【０００１】
【産業上の利用分野】
本発明は、ムービングマグネット型モータを使用したカメラ用レンズシャッタ装置に関する。
【０００２】
【従来の技術】
近年はカメラの電動化が進み、内蔵するアクチュエータの数も増えている。しかし、一般にモータ等のアクチュエータは他の精密部品に比べて大きく、形状の変更も自由に行うことが難しいため、カメラの小型化に対応させることが困難であり、設計上の大きな問題となっている。
【０００３】
上記のような問題を解決するために本願出願人は、例えば実開平７−８８４２号公報において、モータを従来よりも光軸側に寄せ、駆動ピンを光軸と回転子の回転軸とを結ぶ線の左右に往復回動するようにし、さらに駆動ピンが回動する範囲にわたるヨークの一部を切除することによってシャッタ装置全体の大きさを小さくすることを提案している。
【０００４】
ヨークを一部を切除した馬蹄形に加工する場合には、ヨーク材を一度環状に加工し、その後駆動ピンの駆動部分を切り離したり、板状のヨーク材を曲げてそのまま馬蹄形に加工するなどして加工を行う。
【０００５】
しかし、加工するためにヨーク材を切除するとヨークを保持したとき変形してしまったり、ヨーク材を曲げて加工するとその後もとの形状に戻ろうとする応力が働いたりするので、ヨークを所望の形状に加工することには困難が伴う。このため、部品精度のばらつきが発生し固定子と寸法の合わないヨークが多数になり、製造費が高くなる等不都合な点が生じるおそれも残ることとなる。
【０００６】
またヨークを所望の形状に加工できた場合でも、これを組み込んでシャッタ装置とした後、地面に落とされる等外部から衝撃が加わると、環状のヨークに比べて変形しやすいという問題もある。
【０００７】
【発明が解決しようとする課題】
本発明はこのような問題点に鑑みてなされたものであり、その目的とするところは、シャッタ装置全体を小型化するという目的を達しながらも、部品精度と部品強度を向上させて、安定かつ安価なカメラ用シャッタ装置を提供することにある。
【０００８】
【課題を解決するための手段】
上述したような課題は、露出用開口を有するシャッタ地板と、前記シャッタ地板上に配置されている駆動モータと、前記駆動モータの駆動ピンにより前記露出用開口を開閉動作するシャッタ羽根とを備えたカメラ用シャッタにおいて、
前記駆動モータは、永久磁石からなり前記駆動ピンを有する回転子と、二つの軸受部で前記回転子の回転軸の両端を軸受けする固定子と、前記固定子の外側で前記軸受部に隣接するように輪状に巻回されるコイルと、前記回転軸と平行となる方向の両端を開口端とした環状をしていて前記コイルの外側で前記回転子の周囲を囲むように配置されており前記駆動ピンの往復回動する範囲にわたり該開口端のいずれか一方に他のシャッタ構成部材の一部位が進入し得るように切除された切除部を有しているヨークと、を備えているようにすることによって解決される。
【００１１】
【発明の作用】
本発明を実施することによって、シャッタ装置全体を小型化するという目的を達しながらも、部品精度と部品強度を向上させて、安定かつ安価なカメラ用シャッタ装置とすることができる。
【００１２】
【実施例】
以下、本発明の実施例を図１から図５により説明する。図１は本発明にかかるシャッタ装置の要部のみを示した平面図であり、シャッタ羽根が閉じている状態を示している。図２は概略図１のＩ−Ｉ線に沿って見た断面図である。図３は図１と同様の平面図であり、シャッタ羽根が開いた状態を示している。また図４は本発明にかかるヨークの平面図であり、図５はその断面図である。
【００１３】
次に図１および図２により構成を説明する。１は合成樹脂製のシャッタ地板であり、開口１ａ、窓１ｂを有し、図１において背面にピン１ｃ，１ｄを植設している。このシャッタ地板１には図２において一本だけ明示している柱１ｅが複数本形成されており、上板２がそれぞれの柱にネジ３で止められている。４、５はシャッタ羽根である。シャッタ羽根４はピン１ｃに回転可能に支承されており、スロット４ａを有し、ピン４ｂを植設している。シャッタ羽根５はピン１ｄに回転可能に支承されており、開口１ａより僅かに大きい開口５ａを有し、またピン４ｂに嵌合するスロット５ｂを有している。
【００１４】
６はシャッタ地板１に適宜な方法で取り付けられた押さえ板であり、開口１ａと同じか僅かに大きい開口６ａを有している。７は第１コイル枠であり、受け部７ａが形成され、ネジ８によりシャッタ地板１に固定されている。９は第２コイル枠であり、第１コイル枠７と嵌め込み式に結合されている。１０はコイル枠７，９に巻回されたコイルであり、図１には図面を煩雑にしないために平行な２本の二点鎖線で示したように、後述する回転子の軸と光軸とを結ぶ線分に対して略直交する方向であり、かつ回転子の両軸受部を通るようにして巻かれている。
【００１５】
１１は環状のヨークであり、図２において上部から受け部７ａに当たるまで落とし込み、かつ回転可能に支持されている。ヨーク１１は図４および図５にあるように、光軸に近い側の環の内側が切り取られるように薄く形成されている。このため、光軸側の肉厚を薄くした分だけモータを光軸側に寄せることができ、結果的にシャッタ装置全体を小型化することができる。１２は、回転子であり、永久磁石１２ａ，駆動ピン１２ｂを有し、回転軸をそれぞれコイル枠７，９に軸受けされている。この駆動ピン１２ｂはシャッタ地板１の窓１ｂを貫通しシャッタ羽根４のスロット４ａに嵌入している。
【００１６】
１３は歯部１３ａを有し、上板２に回転可能に支持された筒体である。歯部１３ａは、シャッタ地板１に固定された図示していないモータによって回転される歯車列に噛合している。１４は図示していないレンズを担持した鏡筒である。筒体１３の内周部と鏡筒１４の外周部はヘリコイド結合がされており、筒体１３が回転すると、鏡筒１４は周知のようにキー１４ａの作用で図２において上下方向へ直線的に移動する。
【００１７】
次に作動を説明する。図１においてコイル１０に通電すると、回転子と一体の駆動ピン１２ｂが窓１ｂの中で時計方向に回動する。それによりシャッタ羽根４はピン１ｃを軸として時計方向へ回動し、この運動はピン４ｂによってシャッタ羽根５に伝えられる。したがってシャッタ羽根５はピン１ｄを軸として反時計方向へ回動され、シャッタ羽根４，５はともに図３のような状態となり、露光が行われる。所定の時間経過後に、前記とは逆方向の電流がコイル１０に流れると、図３において駆動ピン１２ｂが反時計方向に回動され、シャッタ羽根４，５はいずれも前記とは逆方向に回動し、開口１ａを閉鎖して図１の状態に復帰する。
【００１８】
図６および図７は本件発明の第２の実施例を示したものであって、環状に形成されたヨークの一部を切除したものである。切除する部分は、他部材との構成や組立によって異なるが、ヨークを光軸側に寄せることによって他部材と空間的に重なりあう部分を切除するようにする。また、ヨークを切除するときには任意の部分であって構わないが、その環形状を保つようにし、ヨークを垂直方向に切り離さないようにする。
【００１９】
なお、本実施例で参照した図面においては、ヨーク１１の切除された部分が光軸中心方向へ向いているが、これに限定されるものではなく、他部材との構成、組立に応じてこれ以外の方向を向くように配してもよい。
【００２０】
また、第１の実施例と第２の実施例を組み合わせて、ヨークの光軸側の肉厚を薄くし、更に一部を切除するようにしてもよい。
【００２１】
【発明の効果】
以上述べたようにヨークの肉厚を一部薄くしたり、ヨークの一部を切除することによってモータを光軸側に寄せることができ、その結果シャッタ装置全体を小型化することができる。しかもヨークは環形状を採っているので、高い強度を保つことができる。また部品加工が容易であるので、部品精度が向上し部品によるばらつきが少なくなり、結果的に需要者に対して安価で安定した製品を供給することができる。
【図面の簡単な説明】
【図１】本発明の実施例を示した平面図であり、シャッタ羽根が閉じている状態を示したものである。
【図２】図１をＩ−Ｉ線に沿って観た断面図である。
【図３】図１と同様の平面図であり、シャッタ羽根が開いた状態を示したものである。
【図４】本発明の第１の実施例を示した平面図である。
【図５】本発明の第１の実施例をＡ−Ａ線に沿って観た断面図である。
【図６】本発明の第２の実施例を示した平面図である。
【図７】本発明の第２の実施例をＢ−Ｂ線に沿って観た断面図である。
【符号の説明】
１                シャッタ基板
１ａ，５ａ．６ａ  開口
１ｂ              窓
１ｃ，１ｄ，４ｂ  ピン
１ｅ              柱
２                上板
３，８            ネジ
４，５            シャッタ羽根
４ａ，５ｂ        スロット
６                押さえ板
７                第１コイル枠
７ａ              受け部
９                第２コイル枠
１０                コイル
１１                ヨーク
１２                回転子
１２ａ              永久磁石
１２ｂ              駆動ピン
１３                筒体
１３ａ              歯部
１４                鏡筒
１４ａ              キー
【図１】
0003653291.tif 000002
【図２】
0003653291.tif 000003
【図３】
0003653291.tif 000004
【図４】
0003653291.tif 000005
【図５】
0003653291.tif 000006
【図６】
0003653291.tif 000007
【図７】
0003653291.tif 000008